(57)【要約】【課題】光学レンズの一方の光学面に何らかの処理を施す場合に、他方の光学面を外部から確実に保護できるようにする。【解決手段】光学レンズ１を保持するレンズ保持具であって、光学レンズ１が有する２つの光学面２，３のうち、一方の光学面２を外部に露出させ、かつ他方の光学面３を密閉空間１９に面する状態に保持するレンズ保持部材１０を備える。レンズ保持部材１０は、光学レンズ１の外径に対応して開口した開口部１３とこれに通じる中空部１４とを有するとともに、ゴム状弾性を有する弾性材料で構成されている。そして、レンズ保持部材１０の開口部１３を塞ぐように光学レンズ１を装着した場合に、光学レンズ１を蓋体として中空部１４内に密閉空間１９が形成される構成となっている。【選択図】図３
2013156573.tif 000002
【特許請求の範囲】
【請求項１】
光学レンズを保持するレンズ保持具であって、
前記光学レンズが有する２つの光学面のうち、第１の光学面を外部に露出させ、かつ第２の光学面を密閉空間に面する状態に保持するレンズ保持部材を備える
ことを特徴とするレンズ保持具。
【請求項２】
前記レンズ保持部材は、前記光学レンズの外径に対応して開口した開口部と当該開口部に通じる中空部とを有するとともに、少なくとも前記光学レンズが装着される部分を弾性材料で構成し、前記開口部を塞ぐように前記光学レンズを装着した場合に、前記光学レンズの外周面と前記レンズ保持部材の内周面との接触により前記中空部に前記密閉空間が形成されるように構成されている
ことを特徴とする請求項１に記載のレンズ保持具。
【請求項３】
前記レンズ保持部材に嵌合されて前記レンズ保持部材の外側から締め付け力を付与することにより、前記中空部内に前記光学レンズを固定する固定用部材をさらに備える
ことを特徴とする請求項１または２に記載のレンズ保持具。
【請求項４】
前記レンズ保持部材の内周面の一部に、前記光学レンズの外周部を突き当て可能なストッパー部が形成されている
ことを特徴とする請求項１、２または３に記載のレンズ保持具。
【請求項５】
請求項１〜４のいずれか１項に記載のレンズ保持具を用いた光学レンズの保持方法であって、
前記レンズ保持部材に前記レンズを装着した状態において、前記第１の光学面が面する外部空間の圧力と前記第２の光学面が面する前記密閉空間の圧力との差を利用して、前記レンズ保持部材と前記光学レンズの接触部分の密着力を高める
ことを特徴とする光学レンズの保持方法。
【発明の詳細な説明】
【技術分野】
【０００１】
本発明は、光学レンズを保持するときに用いられるレンズ保持具、および光学レンズの保持方法に関する。
【背景技術】
【０００２】
一般に、光学レンズは、レンズ基材の荒削り工程、研磨工程、洗浄工程、表面処理工程などを経て製造される。このような製造工程によって製造される光学レンズは、全体に円形の外形を有し、かつ２つの光学面を有するものとなっている。
【０００３】
光学レンズの製造工程においては、何らかの理由により、光学レンズをレンズ保持具で保持する場合がある。たとえば、眼鏡レンズ等の光学レンズの製造工程においては、レンズを浸漬染色方式によって染色する場合に、レンズをレンズ保持具によって保持し、その状態でレンズ保持具と一緒にレンズを染色液に浸漬させている。この種のレンズ保持具に関しては、たとえば、特許文献１〜３に記載されたものが知られている。
【先行技術文献】
【特許文献】
【０００４】
【特許文献１】特開２０１１−１１３０５１号公報
【特許文献２】特開２００４−２６８０１３号公報
【特許文献３】特開２００１−３１１９１４号公報
【発明の概要】
【発明が解決しようとする課題】
【０００５】
光学レンズの製造工程においては、光学レンズの一方の光学面に何らかの処理を施す場合に、他方の光学面を外部から保護したい場合がある。その場合、上記従来のレンズ保持具では、光学レンズの他方の光学面を確実に保護できないという問題があった。その理由は、以下のとおりである。
まず、上記従来のレンズ保持具においては、レンズの外周面をクランプする方式を採用している。このため、実際にレンズ保持具でレンズをクランプしたときに、２つの光学面が共に外部に露出した状態となる。したがって、たとえば、レンズ保持具に保持されたレンズの一方の光学面に液体を霧状に噴射（スプレー処理）する場合に、液体の粒子が他方の光学面に回り込んで付着するおそれがある。このため、レンズの他方の光学面を外部から確実に保護できないという問題があった。
【０００６】
本発明の主な目的は、光学レンズの一方の光学面に何らかの処理を施す場合に、他方の光学面を外部から確実に保護することができるレンズ保持具とこれを用いたレンズ保持方法を提供することにある。
【課題を解決するための手段】
【０００７】
本発明の第１の態様は、
光学レンズを保持するレンズ保持具であって、
前記光学レンズが有する２つの光学面のうち、第１の光学面を外部に露出させ、かつ第２の光学面を密閉空間に面する状態に保持するレンズ保持部材を備える
ことを特徴とするレンズ保持具である。
【０００８】
本発明の第２の態様は、
前記レンズ保持部材は、前記光学レンズの外径に対応して開口した開口部と当該開口部に通じる中空部とを有するとともに、少なくとも前記光学レンズが装着される部分を弾性材料で構成し、前記開口部を塞ぐように前記光学レンズを装着した場合に、前記光学レンズの外周面と前記レンズ保持部材の内周面との接触により前記中空部に前記密閉空間が形成されるように構成されている
ことを特徴とする上記第１の態様に記載のレンズ保持具である。
【０００９】
本発明の第３の態様は、
前記レンズ保持部材に嵌合されて前記レンズ保持部材の外側から締め付け力を付与することにより、前記中空部内に前記光学レンズを固定する固定用部材をさらに備える
ことを特徴とする上記第１または第２の態様に記載のレンズ保持具である。
【００１０】
本発明の第４の態様は、
前記レンズ保持部材の内周面の一部に、前記光学レンズの外周部を突き当て可能なストッパー部が形成されている
ことを特徴とする上記第１、第２または第３の態様に記載のレンズ保持具である。
【００１１】
本発明の第５の態様は、
上記第１〜第４の態様のいずれか一つに記載のレンズ保持具を用いた光学レンズの保持方法であって、
前記レンズ保持部材に前記レンズを装着した状態において、前記第１の光学面が面する外部空間の圧力と前記第２の光学面が面する前記密閉空間の圧力との差を利用して、前記レンズ保持部材と前記光学レンズの接触部分の密着力を高める
ことを特徴とする光学レンズの保持方法である。
【発明の効果】
【００１２】
本発明によれば、光学レンズの一方の光学面に何らかの処理を施す場合に、他方の光学面を外部から確実に保護することができる。
【図面の簡単な説明】
【００１３】
【図１】本発明で取り扱う光学レンズの一例として眼鏡レンズの構成を示す図である。
【図２】本発明の第１の実施の形態に係るレンズ保持具の構成を示す断面図である。
【図３】本発明の第１の実施の形態に係るレンズ保持具に眼鏡レンズを装着した状態を示す図である。
【図４】本発明の第１の実施の形態におけるレンズ保持具の使用事例を示す図である。
【図５】本発明の第２の実施の形態に係るレンズ保持具の構成を示す概略図である。
【図６】本発明の第２の実施の形態に係るレンズ保持具に眼鏡レンズを装着した状態を示す図（その１）である。
【図７】本発明の第２の実施の形態に係るレンズ保持具に眼鏡レンズを装着した状態を示す図（その２）である。
【図８】本発明の第３の実施の形態に係るレンズ保持具の構成を示す概略図である。
【図９】本発明の第３の実施の形態に係るレンズ保持具に眼鏡レンズを装着した状態を示す図である。
【図１０】本発明の第４の実施の形態に係る光学レンズの保持方法の具体例を示す図（その１）である。
【図１１】本発明の第４の実施の形態に係る光学レンズの保持方法の具体例を示す図（その２）である。
【図１２】本発明の第４の実施の形態に係る光学レンズの保持方法の具体例を示す図（その３）である。
【図１３】本発明に係るレンズ保持具の一変形例を説明する図である。
【発明を実施するための形態】
【００１４】
以下、本発明の実施の形態について図面を参照しつつ詳細に説明する。
本発明の実施の形態においては、次の順序で説明を行う。
１．光学レンズの構成
２．第１の実施の形態（レンズ保持具の構成、レンズの装着、効果、レンズ保持具の使用事例）
３．第２の実施の形態（レンズ保持具の構成、レンズの装着、効果）
４．第３の実施の形態（レンズ保持具の構成、レンズの装着、効果）
５．第４の実施の形態（光学レンズの保持方法、第１の具体例、第２の具体例、第３の具体例、第４の具体例）
６．変形例等
【００１５】
＜１．光学レンズの構成＞
図１は本発明で取り扱う光学レンズの一例として眼鏡レンズの構成を示す図であり、図中（Ａ）は正面図、（Ｂ）は側断面図をそれぞれ示している。
図示した眼鏡レンズ１は、たとえば、プラスチック成型によって得られるレンズ基材（フィニッシュレンズやセミフィニッシュレンズ）である。眼鏡レンズ１は、玉型加工前のレンズである。フィニッシュレンズとは、プラスチック成型においてレンズの両面が所定の光学面に仕上げられたレンズをいう。また、セミフィニッシュレンズとは、一方の光学面が仕上げ済みで、他方の光学面が仕上げ前の半完成品のレンズをいう。
【００１６】
眼鏡レンズ１の外形は、外径Ｄ０の寸法で円形に形成されている。眼鏡レンズ１には表裏の関係で２つの光学面２，３が形成されている。一方の光学面２は凸面に形成されており、他方の光学面３は凹面に形成されている。また、眼鏡レンズ１にはコバ面４が形成されている。コバ面４は、眼鏡レンズ１の外周面（端面）を構成している。
【００１７】
なお、本発明で取り扱う光学レンズは、眼鏡レンズ１に限らず、他の用途で使用されるレンズ、たとえば、カメラ等の鏡筒に取り付けて使用されるレンズであってもよい。また、光学レンズが有する２つの光学面は、それぞれ球面であっても非球面であってもよい。さらに、レンズ素材についても、プラスチック、ガラスのいずれであってもよい。また、カメラ等に用いられるレンズの場合、２つの光学面の組合せとしては、２つの光学面が共に凸面の場合、２つの光学面が共に凹面の場合、一方の光学面が凸面で他方の光学面が凹面の場合のいずれであってもよい。
【００１８】
＜２．第１の実施の形態＞
（２−１．レンズ保持具の構成）
図２は本発明の第１の実施の形態に係るレンズ保持具の構成を示す断面図である。
レンズ保持具は、全体にカップ型に形成されたレンズ保持部材１０を用いて構成されている。レンズ保持部材１０は、胴部１１と頭部１２とを一体に有している。また、レンズ保持部材１０は、頭部１２と反対側に開口部１３を有している。レンズ保持部材１０の内部には、中空部１４が形成されている。レンズ保持部材１０は、ゴム状弾性を有する弾性材料を用いて構成されている。レンズ保持部材１０を構成する弾性材料としては、たとえば、シリコーンゴム、フッ素ゴム、ニトリルゴムなどを用いることができる。
【００１９】
胴部１１は円筒状に形成されている。胴部１１は、開口部１３および中空部１４を形成している。胴部１１の内周面１５は、好ましくは、図示のようにテーパー状に傾斜した状態に形成するのがよい。内周面１５の傾斜角度θは、レンズ保持部材１０の中心軸Ｊと平行な軸を基準として、たとえば、０度超、１０度以下の範囲内に設定されている。内周面１５の傾斜角度θは、好ましくは、０度超、５度以下に設定することが好ましい。これは、内周面１５の傾斜角度θが５度を超えると、内周面１５とコバ面４との接触面積が減少するからである。
【００２０】
胴部１１の内周面１５は、頭部１２から開口部１３に向かって徐々に内径が小さくなるように形成されている。さらに詳述すると、内周面１５の最小の内径（開口部１３の開口径）Ｄ１は、眼鏡レンズ１の外径Ｄ０よりも小さく設定されている。また、内周面１５の最大の内径Ｄ２は、眼鏡レンズ１の外径Ｄ０よりも大きく設定されている。そして、開口部１３から中空部１４内に少し進入した位置における内周面１５の内径が、眼鏡レンズ１の外径Ｄ０とほぼ等しい寸法に設定されている。
【００２１】
胴部１１の外周面１６は、レンズ保持部材１０の中心軸Ｊと平行をなすように形成されている。胴部１１の肉厚寸法は、胴部１１の内周面１５の半径と外周面１６の半径の寸法差によって決まる。このため、胴部１１の肉厚寸法は、内周面１５のテーパーにしたがい、頭部１２から開口部１３に向かって徐々に大きくなるように設定されている。
【００２２】
頭部１２は、胴部１１の中心軸方向の一方を閉塞するように形成されている。頭部１２の外側面１７は、略円弧状に膨出した状態に形成されている。頭部１２の内側面１８は、レンズ保持部材１０の中心軸Ｊと交差する状態に形成されている。頭部１２の内側面１８は、胴部１１の内周面１５とともに、レンズ保持部材１０の中空部１４を区画している。なお、頭部１２の内側面１８は、図例のような平面でもよいし、外側面１７と同様の曲面でもよい。
【００２３】
（２−２．レンズの装着）
次に、上記構成からなるレンズ保持具にレンズを装着する場合の手順について説明する。
まず、胴部１１の開口部１３を外側（開口径が大きくなる方向）に開くように変形させる。レンズ保持部材１０は、ゴム状弾性を有しているため、たとえば、開口部１３の端を指先や器具等で掴んで外側に引っ張る力を加えることにより、開口部１３を拡開するように変形させる。
【００２４】
次に、上述した開口部１３の変形状態を維持しながら、中空部１４内に眼鏡レンズ１を挿入する。このとき、レンズ保持部材１０の中空部１４において、眼鏡レンズ１がレンズ保持部材１０と同心状に配置されるように、眼鏡レンズ１の姿勢を調整することが好ましい。
【００２５】
次に、胴部１１の開口部１３に加えていた力を解除する。そうすると、胴部１１の内周面１５が眼鏡レンズ１のコバ面４に接触した状態となる。また、胴部１１の開口部１３が眼鏡レンズ１で閉塞された状態となる。このとき、胴部１１の内周面１５と眼鏡レンズ１のコバ面４との間には、開口部１３の弾性変形の解除に伴う接触圧が作用する。このため、眼鏡レンズ１のコバ面４が胴部１１の内周面１５に密着した状態となる。
【００２６】
以上の手順により、図３（Ａ），（Ｂ）に示すように、レンズ保持部材１０に眼鏡レンズ１が装着される。この状態では、レンズ保持部材１０の中空部１４に、眼鏡レンズ１を蓋体として密閉空間１９が形成される。具体的には、頭部１２の内側面１８とこれに対向する眼鏡レンズ１の光学面３、および胴部１１の内周面１５といった３つの面で囲まれた空間が密閉空間１９となる。
【００２７】
（２−３．効果）
このようにレンズ保持部材１０に眼鏡レンズ１を装着することにより、眼鏡レンズ１が有する２つの光学面２，３のうち、一方の光学面２は外部に露出し、かつ、他方の光学面３は密閉空間１９に面する状態に保持される。このため、眼鏡レンズ１の一方の光学面２に何らかの処理を施す場合に、他方の光学面３を外部から確実に保護することができる。
【００２８】
たとえば、眼鏡レンズ１の一方の光学面２に液体を霧状に噴射する場合に、液体の粒子が他方の光学面３に回り込んで付着しないように、光学面３を保護することができる。また、眼鏡レンズ１の一方の光学面２に蒸着材料を付着させて薄膜を形成する場合にも、蒸着材料が他方の光学面３に回り込んで付着しないように、光学面３を保護することができる。さらに、眼鏡レンズ１の一方の光学面２にプラズマ処理を施す場合に、プラズマ処理に伴うダメージ等から光学面３を保護することができる。
【００２９】
また、レンズ保持部材１０によって眼鏡レンズ１を保持した場合は、眼鏡レンズ１の光学面３が物理的な接触を伴わない状態（非接触状態）に維持される。このため、たとえば、眼鏡レンズ１の光学面３に何らかの機能膜が形成されている場合に、この機能膜が未硬化または未乾燥の状態であっても、レンズ保持部材１０に眼鏡レンズ１を装着することにより、未硬化または未乾燥の状態にある光学面３を保護しながら、光学面２に所望の処理を施すことができる。さらに、空気中に浮遊する塵埃等が眼鏡レンズ１の光学面３に付着しないように保護することもできる。また、レンズ保持部材１０の少なくとも内面（内周面１５および内側面１８）を光吸収性の高い色、具体的には黒色またはこれに近い色にすることにより、光学面２から入射して光学面３から出射した光の反射光（戻り光）が眼鏡レンズ１に再入射しないように保護することもできる。
【００３０】
（２−４．レンズ保持具の使用事例）
以下に、レンズ保持具の具体的な使用事例の一つとして、眼鏡レンズの染色処理工程にレンズ保持具を用いる場合について説明する。
まず、上記の手順でレンズ保持部材１０に眼鏡レンズ１を装着することにより、眼鏡レンズ１の一方の光学面２を外部に露出させ、かつ、他方の光学面３を密閉空間１９に面する状態に保持する。次に、図４に示すように、眼鏡レンズ１を染色液２１に浸漬させる。このとき、眼鏡レンズ１の光学面２は染色液２１に接触（浸漬）した状態となり、光学面３は染色液２１に接触することなく密閉空間１９に面した状態に保持される。このため、眼鏡レンズ１の光学面３が染色されずに光学面２だけが染色される。
【００３１】
ここで、眼鏡レンズ１の染色に用いられる染色液２１の温度は、ＪＩＳで規定される常温（２０℃±１５℃）よりも高い温度に維持される。具体的には、染色液２１の温度が７０℃〜９８℃の範囲内に設定される。これに対して、レンズ保持部材１０に眼鏡レンズ１を装着する作業は、常温の環境で行われる。このため、レンズ保持部材１０で保持した眼鏡レンズ１を染色液２１に浸漬させると、密閉空間１９に存在する空気が、眼鏡レンズ１およびレンズ保持部材１０を通して温められる。その結果、密閉空間１９の空気が熱膨張する。
【００３２】
そうした場合、上記熱膨張により圧縮された空気によって眼鏡レンズ１が開口部１３側に押圧され、この押圧力の作用によって眼鏡レンズ１のコバ面４が胴部１１の内周面１５に押し付けられる。このため、眼鏡レンズ１を染色液２１に浸漬させる前に比べて、胴部１１の内周面１５と眼鏡レンズ１のコバ面４との密着力が高まり、それと同時に、密閉空間１９の密閉性も高まる。
【００３３】
また、レンズ保持部材１０に眼鏡レンズ１を装着した状態では、レンズ保持部材１０の内部に密閉空間１９が形成されるため、眼鏡レンズ１の光学面２を下向きにして染色液２１に浸漬させたときに、密閉空間１９の空気の存在によって、眼鏡レンズ１およびレンズ保持部材１０に浮力が働く。このため、眼鏡レンズ１単体では染色液２１に沈むことになるが、レンズ保持部材１０で保持した場合は眼鏡レンズ１が染色液２１の液面に浮いた状態に維持される。
【００３４】
その後、上述のように眼鏡レンズ１の光学面２を染色液２１に浸漬させてからの経過時間が予め設定された染色時間に到達したら、レンズ保持部材１０と一緒に眼鏡レンズ１を染色液２１から取り出す。染色時間は、眼鏡レンズ１の素材や所望する染色濃度などに応じて設定される時間である。染色液２１から眼鏡レンズ１を取り出した後は、胴部１１の開口部１３を外側に開くように変形させて、レンズ保持部材１０から眼鏡レンズ１を取り外す。
【００３５】
以上の染色処理工程においては、眼鏡レンズ１の光学面３を染色液２１に接触させることなく、眼鏡レンズ１の光学面２だけを染色することができる。このため、浸漬染色方式でありながら片面染色を実現することが可能となる。
【００３６】
＜３．第２の実施の形態＞
（３−１．レンズ保持具の構成）
図５（Ａ），（Ｂ）は本発明の第２の実施の形態に係るレンズ保持具の構成を示す概略図である。
図５（Ａ）に示す固定用部材２２と同図（Ｂ）に示すレンズ保持部材１０は、第２の実施の形態に係るレンズ保持具を構成する部材である。レンズ保持部材１０については、上記第１の実施の形態と同様であるため説明を省略する。
【００３７】
固定用部材２２は、全体にリング状に形成されている。固定用部材２２は、たとえば、樹脂や金属などを用いて構成することが可能であり、特に耐久性やレンズ保持状態の安定性等を考慮すると、金属を用いて構成することが好ましい。さらに、その場合は、軽量化の観点からアルミニウムを用いることが好ましい。また、適度なバネ性を付与する観点からステンレスを用いることも好ましい。
【００３８】
固定用部材２２は、帯状のベルト部２３と、２つの操作部２４とを一体に有している。ベルト部２３は、円形のリング状に形成されている。ベルト部２３の内径（リング径）は、２つの操作部２４を離間する方向に外力を加えることにより、レンズ保持部材１０の外径よりも大きく拡開できるようになっている。また、ベルト部２３の内径は、上記の外力を加えない状態では、レンズ保持部材１０の外径よりも小さくなるように設定されている。操作部２４は、ベルト部２３の両端部にそれぞれ形成されている。
【００３９】
（３−２．レンズの装着）
次に、上記構成からなるレンズ保持具に眼鏡レンズ１を装着する場合の手順について説明する。
まず、上記第１の実施の形態と同様の手順で、レンズ保持部材１０に眼鏡レンズ１を装着する。
【００４０】
次に、図６に示すように、固定用部材２２をレンズ保持部材１０に嵌合させる。具体的には、固定用部材２２に設けられた２つの操作部２４を指または図示しない器具等で掴むなどして、ベルト部２３の内径をレンズ保持部材１０の外径よりも大きく拡開させるように外力を加え、その状態でレンズ保持部材１０に固定用部材２２を嵌め入れる。その際、レンズ保持部材１０の中心軸方向において、眼鏡レンズ１が装着される部分に固定用部材２２の位置を合わせ、その状態で外力を開放する。そうすると、外力の開放と同時にベルト部２３の内径が固定用部材２２自身のバネ性によって縮小するため、レンズ保持部材１０の胴部１１が外側から固定用部材２２によって締め付けられた状態となる。つまり、レンズ保持部材１０に嵌合した固定用部材２２の締め付け力が、胴部１１を介して眼鏡レンズ１に加わる。このため、レンズ保持部材１０の中空部１４内に眼鏡レンズ１が固定された状態になる。
【００４１】
（３−３．効果）
本発明の第２の実施の形態によれば、上記第１の実施の形態と同様の効果に加えて、以下のような効果が得られる。
すなわち、レンズ保持部材１０に固定用部材２２を嵌合させることにより、図７（Ａ），（Ｂ）に示すように、レンズ保持部材１０の内周面１５と眼鏡レンズ１のコバ面４とを、固定用部材２２の締め付け力を利用して密着させることができる。このため、固定用部材２２を具備しない構成に比べて、レンズ保持部材１０の内周面１５と眼鏡レンズ１のコバ面４との接触部分の密着力を高めることができる。このため、第２の実施の形態に係るレンズ保持具を上記の染色処理工程に用いた場合は、レンズ保持部材１０の内周面１５と眼鏡レンズ１のコバ面４との接触界面に染色液２１が侵入しにくくなる。したがって、染色液２１が眼鏡レンズ１の染色対象以外の部分に付着するのを抑制することができる。また、固定用部材２２による締め付け力によって、レンズ保持部材１０に対し眼鏡レンズ１を確実に固定することができる。このため、レンズ保持具に装着した眼鏡レンズ１がレンズ保持部材１０から落下しないように落下抑止力を高めることができる。
【００４２】
＜４．第３の実施の形態＞
（４−１．レンズ保持具の構成）
図８は本発明の第３の実施の形態に係るレンズ保持具の構成を示す概略図である。
図示したレンズ保持具は、上記第１の実施の形態と同様に、全体にカップ型に形成されたレンズ保持部材１０を用いて構成されている。ただし、上記第１の実施の形態と比較すると、レンズ保持部材１０の内周面１５の一部にストッパー部２５を設けた点が異なる。ストッパー部２５は、内方にせり出すように段付き状に形成されている。ストッパー部２５は、全周（３６０°）にわたって連続的に形成されていてもよいし、所定の角度ピッチで複数箇所（好ましくは３箇所以上）に分けて形成されていてもよい。これにより、胴部１１の内周面１５は、ストッパー部２５の段差を形作る第１の内周面（テーパー面）１５ａと、それよりも開口部１３寄りの第２の内周面（テーパー面）１５ｂによって形成されている。
【００４３】
（４−２．レンズの装着）
次に、上記構成からなるレンズ保持具に眼鏡レンズ１を装着する場合の手順について説明する。なお、上記第１の実施の形態と重複する内容はできるだけ省略する。
まず、胴部１１の開口部１３を外側に開くように変形させた後、その変形状態を維持しながら、中空部１４内に眼鏡レンズ１を挿入する。このとき、図９に示すように、眼鏡レンズ１の光学面３の外周部をストッパー部２５に突き当てるようにする。
【００４４】
次に、胴部１１の開口部１３に加えていた力を解除することにより、胴部１１の第２の内周面１５ｂを眼鏡レンズ１のコバ面４に密着させる。これにより、レンズ保持部材１０の中空部１４において、眼鏡レンズ１の保持位置と保持姿勢が決まる。以上の手順により、レンズ保持具に眼鏡レンズ１が装着される。以降の染色処理については、上記第１の実施の形態と同様であるため説明を省略する。
【００４５】
（４−３．効果）
本発明の第３の実施の形態によれば、上記第１の実施の形態と同様の効果に加えて、以下のような効果が得られる。
すなわち、レンズ保持部材１０の内周面１５にストッパー部２５を形成しているため、レンズ保持部材１０に眼鏡レンズ１を装着する場合に、眼鏡レンズ１の位置および姿勢を安定させることができる。このため、レンズ保持部材１０の中空部１４の奥側に眼鏡レンズ１が入り込みすぎて、眼鏡レンズ１を保持する力が不足してしまう不都合を回避することができる。また、レンズ保持部材１０に眼鏡レンズ１が傾いて保持された場合に起こり得る不都合、たとえば、レンズ保持部材１０の内周面１５と眼鏡レンズ１のコバ面４との密着性低下などの不都合を回避することができる。
【００４６】
また、本発明の第３の実施の形態に係るレンズ保持部材１０に、上記第２の実施の形態で記述した固定用部材２２を組み合わせた場合は、上記第２の実施の形態と同様の効果を得ることができる。
【００４７】
＜５．第４の実施の形態＞
（５−１．光学レンズの保持方法）
本発明の第４の実施の形態は、上記のレンズ保持具を用いた光学レンズの保持方法に関して、次の方法を採用するものである。すなわち、レンズ保持部材１０に眼鏡レンズ１を装着した状態において、一方の光学面２が面する外部空間の圧力（外圧）と他方の光学面３が面する密閉空間１９の圧力（内圧）との差を利用して、レンズ保持部材１０と眼鏡レンズ１の接触部分の密着力を高める。以下に、この方法を実現する幾つかの具体例について説明する。
【００４８】
（５−２．第１の具体例）
第１の具体例においては、上記第１の実施の形態で説明したレンズ保持部材１０を用いる。レンズ保持部材１０を用いて眼鏡レンズ１を保持する場合は、大気圧よりも高圧の環境でレンズ保持部材１０に眼鏡レンズ１を装着する。これにより、眼鏡レンズ１を装着したレンズ保持部材１０を大気圧の環境に置いた場合は、光学面２が面する外部空間の圧力が相対的に低い圧力となり、光学面３が面する密閉空間１９が相対的に高い圧力となる。このため、レンズ保持部材１０に装着された眼鏡レンズ１は、密閉空間１９からの空気の圧力を受けて開口部１３側に押圧され、この押圧力の作用によって眼鏡レンズ１のコバ面４が胴部１１の内周面１５に押し付けられる。したがって、胴部１１の内周面１５と眼鏡レンズ１のコバ面４との密着力が高まり、それと同時に、密閉空間１９の密閉性も高まる。その結果、レンズ保持部材１０を用いて眼鏡レンズ１を保持する場合に、密閉空間１９に面する光学面３を一層頑強に保護することができる。
【００４９】
（５−３．第２の具体例）
第２の具体例においては、図１０に示すレンズ保持部材１０を用いる。図示したレンズ保持部材１０には、空気の流れを一方向に規制する一方向弁３１が付設されている。一方向弁３１は、頭部１２の外側面１７から内側面１８に向かう空気の流れだけを許容するものである。このレンズ保持部材１０を用いて眼鏡レンズ１を保持する場合は、レンズ保持部材１０に眼鏡レンズ１を装着した後、一方向弁３１を通して給気ポンプ等により密閉空間１９に空気を供給することにより、密閉空間１９の空気を圧縮（加圧）する。これにより、光学面３が面する密閉空間１９は相対的に高い圧力となり、光学面２が面する外部空間の圧力は相対的に低い圧力となる。このため、上記第１の具体例と同様に、胴部１１の内周面１５と眼鏡レンズ１のコバ面４との密着力が高まり、それと同時に、密閉空間１９の密閉性も高まる。よって、同様の効果が得られる。
【００５０】
（５−４．第３の具体例）
この第３の具体例では、図１１に示すレンズ保持部材１０を用いる。図示したレンズ保持部材１０においては、胴部１１の内周面１５が頭部１２から開口部１３に向かって徐々に内径が大きくなるようにテーパー状に形成されている。このレンズ保持部材１０を用いて眼鏡レンズ１を保持する場合は、大気圧よりも低圧の環境でレンズ保持部材１０に眼鏡レンズ１を装着する。これにより、眼鏡レンズ１を装着したレンズ保持部材１０を大気圧の環境に置いた場合は、光学面２が面する外部空間の圧力が相対的に高い圧力となり、光学面３が面する密閉空間１９が相対的に低い圧力となる。このため、レンズ保持部材１０に装着された眼鏡レンズ１は、外部空間からの空気の圧力を受けて頭部１２側に押圧され、この押圧力の作用によって眼鏡レンズ１のコバ面４が胴部１１の内周面１５に押し付けられる。したがって、胴部１１の内周面１５と眼鏡レンズ１のコバ面４との密着力が高まり、それと同時に、密閉空間１９の密閉性も高まる。その結果、レンズ保持部材１０を用いて眼鏡レンズ１を保持する場合に、密閉空間１９に面する光学面３を一層頑強に保護することができる。
【００５１】
（５−５．第４の具体例）
第２の具体例においては、図１２に示すレンズ保持部材１０を用いる。図示したレンズ保持部材１０には、空気の流れを一方向に規制する一方向弁３２が設けられている。一方向弁３２は、頭部１２の内側面１８から外側面１７に向かう空気の流れだけを許容するものである。このレンズ保持部材１０を用いて眼鏡レンズ１を保持する場合は、レンズ保持部材１０に眼鏡レンズ１を装着した後、一方向弁３２を通して排気ポンプ等により密閉空間１９の空気を排気することにより、密閉空間１９を減圧する。これにより、光学面３が面する密閉空間１９は相対的に低い圧力となり、光学面２が面する外部空間の圧力は相対的に高い圧力となる。このため、上記第３の具体例と同様に、胴部１１の内周面１５と眼鏡レンズ１のコバ面４との密着力が高まり、それと同時に、密閉空間１９の密閉性も高まる。よって、同様の効果が得られる。
【００５２】
なお、第４の実施の形態に係る眼鏡レンズ１の保持方法は、ストッパー部２５が設けられたレンズ保持部材１０を用いて眼鏡レンズ１を保持する場合に適用してもよい。また、上記第２の具体例および第４の具体例においては、密閉空間１９の空気を圧縮または排気することが可能な位置であれば、一方向弁３１，３２をレンズ保持部材１０のいずれの位置に設けてもかまわない。また、密閉空間１９の空気を圧縮または排気するためにレンズ保持部材１０に注射針を刺したときに、その針穴が、注射針を抜くことによりレンズ保持部材１０自身のゴム状弾性や自己修復機能によって自動的に閉じる構成であれば、一方向弁３１，３２を設けなくても上記光学レンズの保持方法を実現することが可能である。
【００５３】
＜６．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００５４】
たとえば、本発明に係るレンズ保持具を光学レンズの表面処理に用いる場合、表面処理としては染色処理に限らず、ハードコート層、防汚層、防曇層などの機能層を形成する処理に広く用いることが可能である。さらに、本発明に係るレンズ保持具は、光学レンズの表面処理に限らず、たとえば、光学レンズの洗浄処理、熱処理などに用いてもよいし、光学レンズの運搬、保管、検査、試験などに用いてもよい。
【００５５】
また、上記実施の形態においては、レンズ保持部材１０の全部を、ゴム状弾性を有する弾性材料で構成しているが、本発明はこれに限らず、少なくとも眼鏡レンズ１が装着される部分（たとえば、胴部１１の全部または一部）を当該弾性材料で構成したものであればよい。
【００５６】
また、上記実施の形態においては、レンズ保持部材１０の内周面１５をテーパー状に形成したが、本発明はこれに限らず、レンズ保持部材１０のゴム状弾性だけで眼鏡レンズ１を確実に保持できる場合は、レンズ保持部材１０の内周面１５を中心軸Ｊ（図２）と平行な面で形成してもよい。また、レンズ保持部材１０の外周面１６についても、中心軸Ｊと平行な面で形成してもよいし、テーパー状に形成してもよい。
【００５７】
また、レンズ保持部材１０の全体形状についても種々の変形が可能である。たとえば図１３（Ａ）に示すように、レンズ保持部材１０を断面半球状に形成してもよいし、図１３（Ｂ）に示すように、レンズ保持部材１０につば部１０ａを設けて断面ハット型に形成してもよい。
【符号の説明】
【００５８】
１…眼鏡レンズ
１０…レンズ保持部材
１１…胴部
１２…頭部
１３…開口部
１４…中空部
１９…密閉空間
２２…固定用部材
【図１】
2013156573.tif 000003
【図２】
2013156573.tif 000004
【図３】
2013156573.tif 000005
【図４】
2013156573.tif 000006
【図５】
2013156573.tif 000007
【図６】
2013156573.tif 000008
【図７】
2013156573.tif 000009
【図８】
2013156573.tif 000010
【図９】
2013156573.tif 000011
【図１０】
2013156573.tif 000012
【図１１】
2013156573.tif 000013
【図１２】
2013156573.tif 000014
【図１３】
2013156573.tif 000015